(57)【要約】【課題】カプラから延びる入力用及び出力用光ファイバの基端部に過剰な曲げ変形が加えられることがなく、また、光ファイバの余長部にねじれや曲げ変形が加えられるのを抑止して光ファイバケーブルからの光ファイバ分岐部を形成することができるクロージャを提供する。【解決手段】クロージャは、クロージャ本体と、クロージャ本体に収納され、基板１４１と、基板１４１上に設けられたカプラ１４２と各々がカプラ１４２から延びて基板１４１上に布線された後に基板１４１から引き出された入力用及び出力用光ファイバＦｉｎ，Ｆｏｕｔとを有する光ファイバ分岐ユニット１４０と、を備える。【選択図】図８
2004053890.tif 000002
【特許請求の範囲】
【請求項１】
光ファイバケーブルの光ファイバ分岐部に設けられるクロージャであって、
クロージャ本体と、
上記クロージャ本体に収納され、基板と、該基板上に設けられたカプラと、各々、該カプラから延びて該基板上に布線された後に該基板から引き出された入力用及び出力用光ファイバと、を有する光ファイバ分岐ユニットと、
を備えたことを特徴とするクロージャ。
【請求項２】
請求項１に記載されたクロージャにおいて、
上記光ファイバ分岐ユニットは、少なくとも上記基板及び上記カプラが上記クロージャ本体内で光ファイバ分岐ユニット用トレイに収納されていることを特徴とするクロージャ。
【請求項３】
請求項１に記載されたクロージャにおいて、
上記光ファイバ分岐ユニットは、上記入力用及び／又は出力用光ファイバが上記基板から引き出し可能な予備部を有することを特徴とするクロージャ。
【請求項４】
請求項１に記載されたクロージャにおいて、
上記入力用及び出力用光ファイバは、各々、そのファイバ中心の最低曲率半径が、伝送損失が所定値となる曲率半径以上となるように上記基板に布線されていることを特徴とするクロージャ。
【請求項５】
請求項１に記載されたクロージャにおいて、
上記入力用及び／又は出力用光ファイバは、その引き出し部分が他の光ファイバと一緒になってテープ状に形成されていることを特徴とするクロージャ。
【請求項６】
請求項１に記載されたクロージャにおいて、
上記光ファイバ分岐ユニットは、上記カプラ並びに入力用及び出力用光ファイバを上記基板に押し付けてそれらの移動を規制するカバー材によって該基板上が被覆されていることを特徴とするクロージャ。
【請求項７】
請求項６に記載されたクロージャにおいて、
上記光ファイバユニットは、上記カプラから延びる入力用及び出力用光ファイバの各基端から上記基板に接触するまでの曲げ歪みを低める曲げ歪み緩和手段が構成されていることを特徴とするクロージャ。
【発明の詳細な説明】
【０００１】
【発明の属する技術分野】
本発明は、光ファイバケーブルの光ファイバ分岐部に設けられるクロージャに関する。
【０００２】
【従来の技術】
近年、ケーブルテレビや光通信のための光ファイバケーブル網が形成されてきている。かかる光ファイバケーブル網において、光ファイバケーブル同士の接続部にはクロージャが設けられ、また、そのクロージャ内には多数のトレイが収納され、さらに、トレイには光ファイバケーブルを構成する光ファイバ同士が融着されて融着保護スリーブが被せられた融着接続部分が所定の固定部に固定されている。
【０００３】
また、光ファイバケーブル網において、光ファイバケーブルの光ファイバ分岐部にもクロージャが設けられ、そのクロージャ内に収納された接続部に用いられるものと同様のトレイにはカプラが接着剤や粘着テープを用いて固定されていると共に、カプラから延びた入力用及び出力用光ファイバのそれぞれと光ファイバケーブルを構成する光ファイバとの融着接続部分、及び、小巻きにされた光ファイバの余長部がそれぞれ収納されている。
【０００４】
【発明が解決しようとする課題】
ところで、光ファイバケーブルからの光ファイバ分岐部を形成するときには、その部分にクロージャを取り付け、そのクロージャ内でカプラを収納したトレイを開けてカプラから延びる入力用光ファイバを取り出し、それを光ファイバケーブルの光ファイバに融着接続し、また、カプラから延びる出力用光ファイバを取り出し、それを支線となる光ファイバに融着接続し、そして、それらの融着接続部分と共に光ファイバの余長部を小巻きにしてトレイに収納するという作業が屋外の現場にて行われる。
【０００５】
しかしながら、屋外、しかも、高所でかかる作業を行うのは容易ではなく、カプラから入力用又は出力用光ファイバを取り出す際にその基端部に過剰な曲げ変形が加えられ、それによって光ファイバがダメージを受けて特性劣化したり、また、光ファイバが切断してしまう等の事故が生じることがある。また、小巻きとして収納される入力用及び出力用光ファイバの余長部にねじれや曲げ変形が加えられて伝送損失が大きくなり、それによって全体の特性が悪化してしまうこともある。
【０００６】
本発明は、かかる点に鑑みてなされたものであり、その目的とするところは、カプラから延びる入力用及び出力用光ファイバの基端部に過剰な曲げ変形が加えられることがなく、また、入力用及び出力用光ファイバの余長部にねじれや曲げ変形が加えられるのを抑止して光ファイバケーブルからの光ファイバ分岐部を形成することができるクロージャを提供することにある。
【０００７】
【課題を解決するための手段】
本発明は、クロージャ本体に光ファイバ分岐ユニットを収納するようにしたものである。
【０００８】
具体的には、本発明は、光ファイバケーブルの光ファイバ分岐部に設けられるクロージャであって、
クロージャ本体と、
上記クロージャ本体に収納され、基板と、該基板上に設けられたカプラと、各々、該カプラから延びて該基板上に布線された後に該基板から引き出された入力用及び出力用光ファイバと、を有する光ファイバ分岐ユニットと、
を備えたことを特徴とする。
【０００９】
上記の構成によれば、光ファイバ分岐ユニットではカプラが基板上に設けられていると共にカプラから延びる入力用及び出力用光ファイバが基板上に布線されており、カプラから延びる入力用及び出力用光ファイバの自由度が低いものとなる。従って、光ファイバの接続作業の際に入力用及び出力用光ファイバの基端部に過剰な曲げ変形が加えられることがないので、それによって光ファイバの特性劣化や切断を防止することができ、また、入力用及び出力用光ファイバの余長部にねじれや曲げ変形が加えられることが少なくなるので、それによって大きな伝送損失が生じるのを抑止することができる。
【００１０】
本発明は、上記光ファイバ分岐ユニットの少なくとも上記基板及び上記カプラが上記クロージャ本体内で光ファイバ分岐ユニット用トレイに収納されているものであってもよい。
【００１１】
通常、クロージャ内には多数の光ファイバやその他の素子が存在するので、それらの相互作用によって互いに損傷を及ぼし合うことが考えられる。しかしながら、上記の構成によれば、光ファイバ分岐ユニットの少なくとも基板及びカプラが光ファイバ分岐ユニット用トレイに収納されて保護されているので、かかる相互作用によってそれらが損傷を受けるのを防止することができる。
【００１２】
本発明は、上記光ファイバ分岐ユニットが、上記入力用及び／又は出力用光ファイバが上記基板から引き出し可能な予備部を有するものであってもよい。
【００１３】
屋外で光ファイバの融着接続作業を行うのは容易ではなく、その作業を失敗することもあり、場合によっては光ファイバ分岐ユニット自体の交換が必要となる場合もある。しかしながら、上記の構成によれば、入力用及び／又は出力用光ファイバが基板から引き出し可能な予備部を有するので、光ファイバの融着接続を失敗しても、その予備部を引き出すことにより修復を図ることができる。
【００１４】
本発明は、上記入力用及び出力用光ファイバが、各々、そのファイバ中心の最低曲率半径が、伝送損失が所定値となる曲率半径以上となるように上記基板に布線されているものであってもよい。
【００１５】
上記の構成によれば、入力用及び出力用光ファイバが所定曲率半径以上に布線されているので、所定値以上の伝送損失が生じるのを確実に抑止することができる。
【００１６】
本発明は、上記入力用及び／又は出力用光ファイバの引き出し部分が他の光ファイバと一緒になってテープ状に形成されているものであってもよい。
【００１７】
クロージャ内には多数の光ファイバが存在するが、それぞれがバラバラであるとクロージャ内が煩雑となり、また、修理等の際に目的とするものを見出すことが困難となる。しかしながら、上記の構成によれば、入力用及び／又は出力用光ファイバの引き出し部分が他の光ファイバと一緒になってテープ状に形成されているので、クロージャ内を整然とさせることができ、また、同系列のもののグループ分け等を行えば修理等の際に目的とするものを容易に見つけだすことができる。
【００１８】
本発明は、上記光ファイバ分岐ユニットが、上記カプラ並びに入力用及び出力用光ファイバを上記基板に押し付けてそれらの移動を規制するカバー材によって該基板上が被覆されているものであってもよい。
【００１９】
上記の構成によれば、基板上がカバー材で被覆され、そのカバー材によってカプラ並びに入力用及び出力用光ファイバが基板に押し付けられてそれらの移動が規制されるので、入力用及び出力用光ファイバが動くことによって生じるそれらの基端部の過剰な曲げ変形の防止、入力用及び出力用光ファイバの余長部のねじれや曲げ変形の抑止をより確実に図ることができる。
【００２０】
本発明は、上記光ファイバユニットが、上記カプラから延びる入力用及び出力用光ファイバの各基端から上記基板に接触するまでの曲げ歪みを低める曲げ歪み緩和手段が構成されているものであってもよい。
【００２１】
カバー材で基板上を被覆すると、カプラから延びる入力用及び出力用光ファイバの各基端から上記基板に接触するまでの距離が短いものとなり、その部分で入力用及び出力用光ファイバに曲率半径の小さい曲げ変形が加わり、大きな伝送損失を生じることとなる。しかしながら、上記の構成によれば、曲げ歪み緩和手段が構成されているので、入力用及び出力用光ファイバの各基端から基板に接触するまでの曲げ歪みが低められ、入力用及び出力用光ファイバの基端部の曲げ変形により大きな伝送損失が生じるのを防止することができる。
【００２２】
ここで、曲げ歪み緩和手段とは、例えば、入力用及び出力用光ファイバの基端と基板表面とが同一高さとなるようにカプラを形成する、カプラを収容する凹部又は開口を基板に形成して入力用及び出力用光ファイバの基端と基板表面とを略同一高さとする、入力用及び出力用光ファイバの基端部と基板との間に弾性材を介設する、等を挙げることができる。
【００２３】
【発明の効果】
以上説明したように、本発明によれば、光ファイバ分岐ユニットを備えており、カプラから出た入力用及び出力用光ファイバの自由度が低いものとなるので、光ファイバの接続作業の際に入力用及び出力用光ファイバの基端部に過剰な曲げ変形が加えられることがなく、それによって光ファイバの特性劣化や切断を防止することができ、また、入力用及び出力用光ファイバの余長部にねじれや曲げ変形が加えられることが少なくなり、それによって大きな伝送損失が生じるのを抑止することができる。
【００２４】
【発明の実施の形態】
以下、本発明の実施形態を図面に基づいて詳細に説明する。
【００２５】
（実施形態１）
図１〜３は、本発明の実施形態１に係るクロージャ１００を示す。図４は、接続用トレイ１２０を示す。図５は、分岐用トレイ（光ファイバ分岐ユニット用トレイ）１３０を示す。図６は、光ファイバ分岐ユニット１４０を示す。
【００２６】
このクロージャ１００は、光ファイバケーブルを支線に分岐する光ファイバ分岐部に設けられるものであり、クロージャ本体１１０と、クロージャ本体１１０内に収納された接続用トレイ１２０及び分岐用トレイ１３０と、分岐用トレイ１３０に収納された光ファイバ分岐ユニット１４０と、を備えている。
【００２７】
クロージャ本体１１０は、図１〜３に示すように、中央部が円筒状であり、両端部が先細り状となって先端に一対の円筒を側面同士で接合したような形状のケーブル挿通部１１１が形成された樹脂成形体である。このクロージャ本体１１０は、長手方向に半分に分割された上側及び下側部材１１２，１１３で構成されており、中央部の３箇所に設けられた大径の締め付けバンド１１４及び両端部のケーブル層通部に設けられた小径の締め付けバンド１１４によって締め付けられてそれらの両部材１１２，１１３が接合されたものである。クロージャ本体１１０の各ケーブル挿通部１１１は、グロメット１１５が嵌め込まれたケーブル挿通孔を２つ有しており、２本の光ファイバケーブルを挿通できるようになっている。クロージャ本体１１０内の下側部材１１３の各ケーブル挿通部１１１よりやや内側には、光ファイバケーブルをシースの外側から保持するケーブル保持部１１６が設けられており、そのさらに内側には、光ファイバケーブルのテンションメンバを保持するテンションメンバ保持部１１７が設けられている。そして、クロージャ本体１１０内のテンションメンバ保持部１１７間に接続用トレイ１２０及び分岐用トレイ１３０を収容するためのトレイ収容部１１８が構成され、そこに３枚の接続用トレイ１２０及び２枚の分岐用トレイ１３０が上から順に積層状態に収納されている。
【００２８】
接続用トレイ１２０は、図４に示すように、平面視で長方形とその短辺を直径とする半円とからなる形状であって、長方形を半円で挟んだような陸上競技用トラック形状に形成されている。接続用トレイ１２０の中央には、光ファイバ同士が融着されて融着保護スリーブが被せられた融着接続部分が固定される固定部１２１が設けられている。また、接続用トレイ１２０の長方形部分の一方の長辺部の両端には、側面にファイバ導入部１２２が設けられている。
【００２９】
分岐用トレイ１３０は、図５に示すように、平面視で長方形とその長辺を下底とする台形とを合わせたような形状に形成されており、トレイ本体１３１と上蓋１３２とで構成されている。上蓋１３２は、その台形部分の上底部に間隔をおいて設けられた一対のヒンジ１３３によって開閉可能にトレイ本体１３１に取り付けられている。また、トレイ本体１３１の台形部分の両斜辺部の上底部側には、側面にファイバ挿通孔１３４が設けられている。
【００３０】
光ファイバ分岐ユニット１４０は、図６に示すように、略長方形の基板１４１を備え、その基板１４１上に一対のカプラ１４２が設けられ、また、各カプラ１４２から延びる入力用及び出力用光ファイバＦｉｎ，Ｆｏｕｔが布線され、さらに、基板１４１上がカバー材１４６で被覆されたものである。
【００３１】
基板１４１は、ポリエステルフィルム等の可撓性シート上に粘着層が設けられたものからなる。なお、粘着層は、少なくともカプラ１４２が設けられる部分と入力用及び出力用光ファイバＦｉｎ，Ｆｏｕｔが布線される部分とに設けられていればよい。また、基板１４１には入力用及び出力用光ファイバＦｉｎ，Ｆｏｕｔの布線が容易となるようにそれらの布線パターンがプリントされていてもよい。
【００３２】
一対のカプラ１４２は、並列して基板１４１の一方の長辺に沿って設けられており、図７に示すように、各々、基板１４１に設けられたカプラ保持孔１４１ａで保持され、入力用及び出力用光ファイバＦｉｎ，Ｆｏｕｔの基端部が基板１４１表面に接触するようにされている。
【００３３】
一対のカプラ１４２から延びる入力用光ファイバＦｉｎは、基板１４１上で一緒になると共に他の２本の光ファイバＦとも一緒になって４心のテープ状の光ファイバテープ１４３を形成し、基板１４１のカプラ１４２が設けられている側の長辺に沿って延びた後に、その光ファイバテープ１４３の形態で基板１４１から引き出されている。なお、入力用及び出力用光ファイバＦｉｎ，Ｆｏｕｔが基板１４１外でテープ化された構成であってもよい。各カプラ１４２からは２本の出力用光ファイバＦｏｕｔが延びているが、一対のカプラ１４２から延びる一方の出力用光ファイバＦｏｕｔは、入力用光ファイバＦｉｎと同様に、基板１４１上で一緒になると共に入力用光ファイバＦｉｎが一緒になったのと同じ２本の光ファイバＦと一緒になって４心のテープ状の光ファイバテープ１４４を形成し、カプラ１４２が設けられている側の基板１４１の長辺に沿って延びた後に、その光ファイバテープ１４４の形態で基板１４１から引き出されており、他方の出力用光ファイバＦｏｕｔは、基板１４１上で一緒になって２心のテープ状の光ファイバテープ１４５を形成し、４心の光ファイバテープ１４４に沿って延びた後に、その光ファイバテープ１４５の形態で基板１４１から引き出されている。つまり、引き出し部分で４心の光ファイバテープ１４３であったものが基板１４１上に布線され、そこから２本の光ファイバＦがそれぞれ分岐して入力用光ファイバＦｉｎとしてカプラ１４２に繋がり、カプラ１４２で分岐した一対の出力用光ファイバＦｏｕｔのうち一方が元に戻って４心の光ファイバテープ１４４を形成して引き出し部分として基板１４１から引き出され、他方同士が２心の光ファイバテープ１４５を形成して基板１４１から引き出されている。この２心の光ファイバテープ１４５が支線となるものである。入力用及び出力用光ファイバＦｏｕｔは略直線状に基板１４１上に布線されているので、そのファイバ中心の最低曲率半径が、伝送損失が所定値（実用上支障がある伝送損失値）となる曲率半径以上となっている。
【００３４】
カバー材１４６は、ポリエチレン等の樹脂シートで形成されており、カプラ１４２並びに入力用及び出力用光ファイバＦｉｎ，Ｆｏｕｔの布線部分を基板１４１に押し付けてそれらの移動を規制する。
【００３５】
光ファイバ分岐ユニット１４０は、図８に示すように、カプラ１４２が設けられた側が台形部分側となるように基板１４１が分岐用トレイ１３０に収容され、基板１４１から延びる入力側の４心の光ファイバテープ１４３が一方のファイバ挿通孔１３４から引き出されていると共に、基板１４１から延びる出力側の４心の光ファイバテープ１４４及び２心の光ファイバテープ１４５が他方のファイバ挿通孔１３４から引き出されている。従って、図９に示すように、分岐用トレイ１３０の上蓋１３２が閉じられると、光ファイバ分岐ユニット１４０のうち基板１４１から引き出された入力用及び出力用光ファイバＦｉｎ，Ｆｏｕｔを含む４心及び２心の光ファイバテープ１４３，１４４，１４５以外の基板１４１及びカプラ１４２等が分岐用トレイ１３０に収納されることとなる。
【００３６】
以上のような構成のクロージャ１００は、図１０に示すように、電信柱２００近傍で光ファイバケーブルＣに介設される。そして、クロージャ１００内で、一対のケーブル保持部１１６で光ファイバケーブルＣを保持させると共に光ファイバケーブルＣ内のテンションメンバーをテンションメンバー保持部で保持させた後、光ファイバケーブルＣから所定の４心の光ファイバテープを引き出して切断し、その切断端の一方を分岐用トレイ１３０から延びる入力側の４心の光ファイバテープ１４３に、他方を出力側の４心の光ファイバテープ１４４に、クロージャ１００から外に延びる支線ケーブルＢＣの２心の光ファイバテープを出力側の２心の光ファイバテープ１４５に、それぞれ融着接続することによって光ファイバ分岐部が形成される。なお、光ファイバテープ同士、つまり、光ファイバ同士を融着接続して、その部分に融着保護スリーブを被せると融着接続部分が形成されるが、各融着接続部分は接続用トレイ１２０の固定部１２１に固定される。
【００３７】
上記構成のクロージャ１００によれば、光ファイバ分岐ユニット１４０ではカプラ１４２が基板１４１上に設けられていると共にカプラ１４２から延びる入力用及び出力用光ファイバＦｉｎ，Ｆｏｕｔが基板１４１上に布線されており、しかも、基板１４１上がカバー材１４６で被覆され、そのカバー材１４６によってカプラ１４２並びに入力用及び出力用光ファイバＦｉｎ，Ｆｏｕｔが基板１４１に押し付けられてそれらの移動が規制され、カプラ１４２から延びる入力用及び出力用光ファイバＦｉｎ，Ｆｏｕｔの自由度が低いものとなる。そのため、接続作業の際に入力用及び出力用光ファイバＦｉｎ，Ｆｏｕｔの基端部に過剰な曲げ変形が加えられることがないことから、それによって入力用及び出力用光ファイバＦｉｎ，Ｆｏｕｔの特性劣化や切断を確実に防止することができ、また、入力用及び出力用光ファイバの余長部にねじれや曲げ変形が加えられることが少なくなることから、それによって大きな伝送損失が生じるのを確実に抑止することができる。
【００３８】
また、通常、クロージャ１００内には多数の光ファイバＦやその他の素子が存在するので、それらの相互作用によって互いに損傷を及ぼし合うことが想定されるところ、光ファイバ分岐ユニット１４０の基板１４１及びカプラ１４２等が分岐用トレイ１３０に収納されて保護されているので、かかる相互作用によってそれらが損傷を受けるのを防止することができる。
【００３９】
また、入力用及び出力用光ファイバＦｉｎ，Ｆｏｕｔ並びにそれらを含む光ファイバテープ１４３，１４４，１４５が略直線状に布線されているので、所定値以上の伝送損失が生じるのを確実に抑止することができる。
【００４０】
また、クロージャ１００内には多数の光ファイバＦが存在するが、それぞれがバラバラであるとクロージャ１００内が煩雑となり、また、修理等の際に目的とするものを見出すことが困難となるところ、入力用及び出力用光ファイバＦｉｎ，Ｆｏｕｔの引き出し部分が他の光ファイバＦと一緒になってテープ状の光ファイバテープ１４３，１４４，１４５に形成されているので、クロージャ１００内を整然とすることができ、また、修理等の際に目的とするものを容易に見出すことができる。
【００４１】
また、カバー材１４６で基板１４１上を被覆すると、カプラ中心から入力用及び出力用光ファイバＦｉｎ，Ｆｏｕｔが出ている場合、図１１に示すように、入力用及び出力用光ファイバＦｉｎ，Ｆｏｕｔの各基端から基板１４１に接触するまでの距離が短いものとなり、入力用及び出力用光ファイバＦｉｎ，Ｆｏｕｔの基端部に曲率半径の小さい曲げ変形が加わり、大きな伝送損失を生じることとなるところ、図７に示すように、カプラ１４２が基板１４１に設けられたカプラ保持孔１４１ａで保持されて入力用及び出力用光ファイバＦｉｎ，Ｆｏｕｔの各基端部が基板１４１に接触するようにしているので、入力用及び出力用光ファイバＦｉｎ，Ｆｏｕｔの基端部の曲げ変形による大きな伝送損失が生じるのを防止することができる。
【００４２】
（実施形態２）
図１２は、本発明の実施形態２に係るクロージャ１００内に収納される光ファイバ分岐ユニット１４０を示す。なお、実施形態１のものと同一部分については同一符号で示す。
【００４３】
この光ファイバ分岐ユニット１４０では、一対のカプラ１４２からそれぞれ延びる出力用光ファイバＦｏｕｔが合わさった２心の光ファイバテープ１４５が基板１４１内で円周を描くように布線された予備部１４５ａを構成した後に基板１４１から引き出されている。この予備部１４５ａは、基板１４１に仮留め状態に布線されており、引き出し部分に軽い引っ張り力を負荷することにより基板１４１から予備部１４５ａの長さの範囲で所定長さを引き出すことができるようになっている。
【００４４】
その他の構成は実施形態１と同一である。
【００４５】
屋外で光ファイバの融着接続作業を行うのは容易ではなく、その作業を失敗することもあり、場合によっては光ファイバ分岐ユニット自体の交換が必要となる場合もあるところ、上記構成によれば、出力用光ファイバＦｏｕｔを含む２心の光ファイバテープ１４５が基板１４１から引き出し可能な予備部１４５ａを有するので、光ファイバテープ１４５の融着接続を失敗しても、その予備部１４５ａを引き出すことにより修復を図ることができる。
【００４６】
（その他の実施形態）
上記実施形態１及び２では、基板１４１に設けたカプラ保持孔１４１ａによって曲げ歪み緩和手段を構成したが、特にこれに限定されるものではなく、基板１４１にカプラ１４２を収容する凹部を設けてもよく、図１３（ａ）に示すように、入力用及び出力用光ファイバＦｉｎ，Ｆｏｕｔの基端が基板接触側に偏るようにカプラ１４２を形成してもよく、また、図１３（ｂ）に示すように、入力用及び出力用光ファイバＦｉｎ，Ｆｏｕｔの基端部と基板１４１との間に弾性材３００を介設するようにしてもよい。
【００４７】
また、上記実施形態２では、出力用光ファイバＦｏｕｔを含む２心の光ファイバテープ１４５のみが予備部１４５ａを有するものとしたが、特にこれに限定されるものではなく、入力用光ファイバＦｉｎを含む４心の光ファイバテープ１４３及び／又は出力用光ファイバＦｏｕｔを含む４心の光ファイバテープ１４４が予備部を有していてもよい。
【図面の簡単な説明】
【図１】本発明の実施形態１に係るクロージャの正面図及び正面透視図である。
【図２】本発明の実施形態１に係るクロージャの上面図及び上面透視図である。
【図３】本発明の実施形態１に係るクロージャの側面図及び図１（ａ）におけるＩＩＩ−ＩＩＩ断面図である。
【図４】本発明の実施形態１に係るクロージャの接続用トレイの平面図及び正面図である。
【図５】本発明の実施形態１に係るクロージャの分岐用トレイの平面図及び正面図である。
【図６】本発明の実施形態１に係るクロージャの光ファイバ分岐ユニットの平面図である。
【図７】カプラの基板への設置構造を示す説明図である。
【図８】分岐用トレイに光ファイバ分岐ユニットを収容した状態を示す説明図である。
【図９】分岐用トレイに光ファイバ分岐ユニットを収容して上蓋を閉じた状態を示す説明図である。
【図１０】本発明の実施形態１に係るクロージャの取り付け構造を示す説明図である。
【図１１】基板にカプラ保持孔を設けない場合のカプラの基板への設置構造を示す説明図である。
【図１２】本発明の実施形態２に係るクロージャの光ファイバ分岐ユニットの平面図である。
【図１３】その他の実施形態に係るカプラの基板への設置構造を示す説明図である。
【符号の説明】
１００　クロージャ
１１０　クロージャ本体
１１１　ケーブル挿通部
１１２　上側部材
１１３　下側部材
１１４　締め付けバンド
１１５　グロメット
１１６　ケーブル保持部
１１７　テンションメンバ保持部
１１８　トレイ収容部
１２０　接続用トレイ
１２１　固定部
１２２　ファイバ導入部
１３０　分岐用トレイ（光ファイバ分岐ユニット用トレイ）
１３１　トレイ本体
１３２　上蓋
１３３　ヒンジ
１３４　ファイバ挿通孔
１４０　光ファイバ分岐ユニット
１４１　基板
１４１ａ　カプラ保持孔
１４２　カプラ
１４３　光ファイバテープ（入力側）
１４４　光ファイバテープ（出力側，４心）
１４５　光ファイバテープ（出力側，２心）
１４５ａ　予備部
１４６　カバー材
２００　電信柱
３００　弾性材
ＢＣ　支線ケーブル
Ｃ　光ファイバケーブル
Ｆｉｎ　入力側光ファイバ
Ｆｏｕｔ　　出力側光ファイバ
【図１】
2004053890.tif 000003
【図２】
2004053890.tif 000004
【図３】
2004053890.tif 000005
【図４】
2004053890.tif 000006
【図５】
2004053890.tif 000007
【図６】
2004053890.tif 000008
【図７】
2004053890.tif 000009
【図８】
2004053890.tif 000010
【図９】
2004053890.tif 000011
【図１０】
2004053890.tif 000012
【図１１】
2004053890.tif 000013
【図１２】
2004053890.tif 000014
【図１３】
2004053890.tif 000015